(57)【要約】      （修正有）【課題】家庭用のコンパクトな水供給装置を提供する。【解決手段】装置７００であって、ハウジング７０１；ハウジング７０１内に位置決めされ、袋及び箱のパッケージユニットとして形成されるミネラルウォーター容器７１０；冷えたミネラルウォーター及び高温のミネラルウォーターを装置７００から供給するように構成されている蛇口７０７を備える。幾つかの場合、本装置７００は、ミネラルウォーター容器７１０から室温の水を受け取って冷水を蛇口７０７に供給する冷水用タンク７３５、及びミネラルウォーター容器７１０から室温の水を受け取って熱水を蛇口７０７に供給する熱水用タンク７３０を更に備える。本装置７００は、ミネラルウォーター容器７１０からの水を冷水用タンク７３５及び熱水用タンク７３０に圧送するポンプ７１５を備える。【選択図】図７Ａ
2015030509.tif 000002
【特許請求の範囲】
【請求項１】
装置であって、
ハウジング；
ハウジング内に位置決めされ、ミネラルウォーターを含有するミネラルウォーター容器；
高温のミネラルウォーター及び低温のミネラルウォーターを供給するように構成された水用蛇口；
ミネラルウォーターから室温の水を受け取り、受け取ったミネラルウォーターを冷却する冷水用タンクであって、冷水用タンク内の水を冷却するための冷却ユニットに接続された冷水用タンク；
ミネラルウォーター容器から室温の水を受け取り、受け取ったミネラルウォーターを加熱する熱水用タンクであって、熱水用タンク内の水を加熱するための加熱ユニットに接続された熱水用タンク；
ミネラルウォーター容器から冷水用タンク及び熱水用タンクへミネラルウォーターを供給し、ミネラルウォーターは更に水用蛇口に押し進められるポンプ
を備え、冷却ユニットがハウジング内に位置決めされる装置。
【請求項２】
ポンプと熱水用タンク及び冷水用タンクとの間に配置された流入弁を更に備え、前記流入弁は、ポンプから熱水用タンク又は冷水用タンクへの水の流れを制御する請求項１に記載の水供給装置。
【請求項３】
ミネラルウォーターの受け取りに関する水供給装置のユーザからの指令を受信する受信ユニットを更に備える請求項２に記載の水供給装置。
【請求項４】
受信ユニットからの指令を受け取り、ミネラルウォーター容器から水を圧送するための第１の指示をポンプに送信し、更に、ユーザの指令に従って、熱水用タンク及び冷水用タンクからなる群から選択される水用タンクへポンプから水を流すための第２の指示を流入弁に送信する制御ユニットを更に備える請求項３に記載の水供給装置。
【請求項５】
ミネラルウォーターが蛇口において受け取られる前に位置決めされる流出弁を更に備え、前記流出弁は蛇口へのミネラルウォーターの流れを制御し、前記流出弁は熱水用タンクから熱水用パイプを通して熱水を受け取り、冷水用タンクから冷水用パイプを通して冷水を受け取る請求項２に記載の水供給装置。
【請求項６】
流出弁は、熱水と冷水とを混合して室温の水が蛇口から供給されるように、水を交互供給にて蛇口に供給する請求項５に記載の水供給装置。
【請求項７】
家庭のユーザに適合されている請求項１に記載の装置。
【請求項８】
前記装置がキッチンカウンター上に載置される場合に、前記ミネラルウォーター容器をキッチンカウンター上で交換することを可能にする、請求項１に記載の装置。
【請求項９】
前記装置は受信ユニットを更に備え、受信ユニットは、前記装置の表示デバイスに表示される複数のアイコンを含み、複数のアイコンのそれぞれは、前記装置によって供給されるミネラルウォーターの量を表す、請求項１に記載の装置。
【請求項１０】
水供給装置の高さは６０センチメートルよりも低い、請求項１に記載の装置。
【請求項１１】
熱水用タンク内のミネラルウォーターを沸騰させる沸騰ユニットを更に備える、請求項１に記載の装置。
【請求項１２】
前記装置は、ミネラルウォーター容器を載せる表面を更に含み、前記表面は、ミネラルウォーター容器を交換するときに前記装置から取り出し可能である、請求項１に記載の装置。
【請求項１３】
受信ユニットはエネルギ節約モードを更に含む請求項１に記載の装置。
【請求項１４】
エネルギ節約モードは、エネルギ節約モードを有効にするタイミングを選択するためのタイマーオプションを含む請求項１３に記載の装置。
【請求項１５】
ミネラルウォーター容器が袋及び箱のパッケージユニットとして形成される請求項１に記載の装置。
【発明の詳細な説明】
【技術分野】
【０００１】
本主題は、包括的にはウォーターディスペンサに関し、より詳細には、箱に入った袋に水が入っているミネラルウォーターディスペンサに関する。
【背景技術】
【０００２】
ウォーターディスペンサは、ユーザが水を入手できるように、業務用及び家庭用途の双方で用いられている。飲料水に関するユーザの関心の高まりに伴って、飲料水の安全性を確実にするとともに、飲料水の本質的特性の質を追求することへの要求が高まっている。
【０００３】
ウォーターディスペンサはユーザに濾水を提供することができる。そのような濾水は、中央水システムからウォーターディスペンサにおいて受け取られ、ウォーターディスペンサ内の濾過モジュールによって濾過される。他のウォーターディスペンサは、ユーザにミネラルウォーターを提供する。そのようなミネラルウォーターは、定期的に交換される容器内に入れられている。これらの容器は蛇口に接続されている出口を有し、この蛇口から水が供給される。
【０００４】
家庭向けの市場では、水容器を有するウォーターディスペンサが大量に購入される可能性が高いが、これは標準的なキッチンの範囲に限定されている。ウォーターディスペンサは、送水パイプ、冷却ユニット及び循環路を内部に位置決めすることができるハウジングを有する。ミネラルウォーター容器は、ハウジングの上部に位置決めされるが、約１９リットル又は１０／１１リットルの量を含んでいるため、ユーザは、１９リットル又は１０／１１リットルの水容器をハウジングに挿入することが厄介であると感じる。多くの家庭の消費者は、便宜上、ウォーターディスペンサがキッチンにあることを好む。ウォーターディスペンサのハウジングの外側に水容器を有するウォーターディスペンサは、より大きいスペースをとる傾向にある。
【発明の概要】
【０００５】
本主題の目的は、装置であって、
ハウジング；ハウジング内に位置決めされ、袋及び箱のパッケージユニットとして形成されるミネラルウォーター容器；冷えたミネラルウォーターを供給するように構成されている冷水用蛇口；高温のミネラルウォーターを供給するように構成されている熱水用蛇口；ミネラルウォーターの袋を冷水用蛇口に接続する第１のパイプ；ミネラルウォーターの袋を熱水用蛇口に接続する第２のパイプを備える装置を開示することである。
【０００６】
幾つかの場合、本装置は、ミネラルウォーターの袋から室温の水を受け取って冷水を冷水用蛇口に供給する冷水用タンクを更に備え、冷水用タンクは、冷水用タンク内の水を冷却する冷却ユニットに接続されている。
【０００７】
幾つかの場合、冷却ユニットはハウジング内に位置決めされる。
幾つかの場合、本装置は、ミネラルウォーターの袋からの水を冷水用タンクに圧送するポンプを更に備える。幾つかの場合、ポンプは、所定の量の水が冷水用蛇口によって供給された時に駆動される。
【０００８】
幾つかの場合、本装置は、ミネラルウォーターの袋から室温のミネラルウォーターを受け取って熱水を熱水用蛇口に供給する熱水用タンクを更に備え、熱水用タンクは、熱水用タンク内の水を加熱する加熱ユニットに接続されている。幾つかの場合、ポンプは、ミネラルウォーターの袋からの水を冷水用タンクに圧送するように更に構成されている。幾つかの場合、本装置は、冷水用タンク及び熱水用タンクからの水を温水用蛇口に供給することによって温水を供給するように更に構成されている。
【０００９】
幾つかの場合、本装置は家庭のユーザに適合されている。幾つかの場合、本装置は、キッチンカウンター上に載置される場合に、ミネラルウォーター容器をキッチンカウンター上で交換することを可能にする。
【００１０】
幾つかの場合、本装置は受信ユニットを更に備え、受信ユニットは、本装置の表示デバイスに表示される複数のアイコンを含み、当該複数のアイコンのそれぞれは、本装置によって供給されるミネラルウォーターの量を表す。本主題の幾つかの例示的実施形態において、受信ユニットはグラフィックユーザインターフェースである。幾つかの場合、水供給装置の高さは６０センチメートルよりも低い。
【００１１】
幾つかの場合、本装置は熱水用蛇口において供給される水を沸騰させる沸騰ユニットを更に備える。
開示される主題の例示的かつ非限定的な実施形態を、図面と併せて実施形態の以下の説明を参照して説明する。図面は全体的に一定の縮尺では示されておらず、いずれのサイズも例示的であることを意図するに過ぎず、必ずしも限定的ではない。対応する要素又は同様の要素は、必要に応じて同じ参照符号又は文字によって示される。
【図面の簡単な説明】
【００１２】
【図１】本主題の幾つかの例示的な実施形態による水供給装置を示す図である。
【図２Ａ】開示される主題の例示的な実施形態による開いた状態の水供給装置を示す図である。
【図２Ｂ】開示される主題の例示的な実施形態による、１つの水容器が交換される水供給装置２００を示す図である。
【図３】開示される主題の例示的な実施形態による、水供給装置内の水容器を交換するための機構を示す図である。
【図４】本主題の幾つかの例示的な実施形態による、ポンプを含む水供給装置を示す図である。
【図５Ａ】開示される主題の例示的な実施形態による、水供給装置２００の受信ユニットを示す図である。
【図５Ｂ】開示される主題の例示的な実施形態による、水供給装置２００の受信ユニットを示す図である。
【図６】開示される主題の例示的な実施形態による、水容器内の水の量を示すための方法を示す図である。
【図７Ａ】本主題の幾つかの例示的実施形態による、単一の蛇口を備える水供給装置の側面図である。
【図７Ｂ】本主題の例示的実施形態による、開口部が開いた状態にある単一の蛇口を備える水供給装置の側面図である。
【図７Ｃ】本主題の例示的実施形態による、単一の蛇口を備える水供給装置の上面図である。
【図８】本主題の例示的実施形態による、エネルギ節約モードインターフェースを表示する受信ユニットを備える水供給装置の開口部を示す図である。
【発明を実施するための形態】
【００１３】
開示される主題は、家庭用のコンパクトな水供給装置を提供する。水供給装置は、１つ又は複数の冷水容器及び１つ又は複数の熱水容器を備える。水容器は、箱に入った袋のパッケージユニットとして形成することができる。箱に入った袋のパッケージユニットは、水等の液体で満たされる袋を有する剛性の箱を含む。箱に入った袋のパッケージユニットは、袋及び箱のパッケージユニットとも称される場合がある。水供給装置は、冷水容器内の水を冷却する冷却ユニットも備えることができる。水供給装置全体は比較的小さく、約４５センチメートルの高さであるが、合計で、袋に約７．２５Ｌ＋冷却タンクに１．８Ｌ及び冷却タンクに１．８Ｌ、並びに冷却ユニット及び加熱ユニットを収容する。
【００１４】
図１は、本主題の幾つかの例示的な実施形態による水供給装置を示している。水供給装置１００はハウジング１１０を備える。ハウジング１１０は、立方体状、すなわち立方体形状であるものとすることができる。ハウジング１１０は、プラスチック、金属、半剛性材料、又は当業者が望む任意の他の材料から作ることができる。水供給装置１００は、ハウジング１１０内に位置決めされる第１の冷水容器１２０及びハウジング１１０内に位置決めされる第２の冷水容器１２２を備える。水供給装置１００は、ハウジング１１０内に位置決めされる熱水容器１２４も備える。第１の冷水容器１２０、第２の冷水容器１２２及び熱水容器１２４からなる群の少なくとも幾つかの水容器は、箱に入った袋のパッケージユニットとして形成することができる。水容器１２０、１２２、１２４の容積は、４リットル〜１０リットルの範囲とすることができる。幾つかの例示的な場合、水容器１２０、１２２、１２４のそれぞれは７リットルを収容する。水容器１２０、１２２、１２４の内容物は、ミネラルウォーター供給業者が供給するミネラルウォーターである。
【００１５】
水供給装置１００は、ユーザが水供給装置１００を制御及び操作することを可能にするユーザインターフェースも含むことができる。そのようなユーザインターフェースは、第１のボタン１３２及び第２のボタン１３４を含むことができる。幾つかの例示的な場合、水供給装置１００のユーザは、冷水を供給するのに第１のボタン１３２を用いる。同様に、水供給装置１００のユーザは、熱水を供給するのに第２のボタン１３４を用いる。
【００１６】
水供給装置１００は、供給セクションも含むことができ、この供給セクションから水がユーザに供給される。供給セクションは、第１の蛇口１４２及び第２の蛇口１４４を含む。第１の蛇口１４２は、冷水を供給するのに用いられ、第２の蛇口は熱水を供給するのに用いられる。冷水は、重力を用いて、第１の冷水容器１２０又は第２の冷水容器１２２から接続パイプ（図示せず）を介して第１の蛇口１４２へ流れる。水は、第１の冷水容器１２０又は第２の冷水容器１２２から第１の蛇口１４２へ重力を用いて流れるため、冷水をユーザに供給する場合にはポンプを必要としない。幾つかの例示的な場合、第１の冷水容器１２０及び第２の冷水容器１２２の双方の底部は第１の蛇口１４２よりも高く位置決めされる。
【００１７】
熱水容器１２４の内部の水は加熱されない。水は、熱水容器１２４から、約１リットルの水を含む加熱ゾーンへ流れる。幾つかの例示的な場合、水は、熱水容器１２４においてではなく加熱ゾーンにおいて加熱される。ユーザが第２のボタン１３４を押すと、水は、加熱ゾーンから第２の蛇口１４４へ圧送され、ここでユーザに供給される。
【００１８】
図２Ａは、開示される主題の例示的な実施形態による、開いた状態の水供給装置を示す。水供給装置２００は開口部２１０を有する。開口部２１０は、水供給装置２００の正面に位置決めすることができる。開口部２１０は、水供給装置２００のハウジング２１５内に位置決めされるミネラルウォーター容器の交換を可能にするようにヒンジ（図示せず）に沿って移動することができる。水供給装置２００は、冷水を供給する第１の蛇口２４２及び熱水を供給する第２の蛇口２４４も含むことができる。
【００１９】
水供給装置２００は、第１の冷水用ミネラルウォーター容器２２０、第２の冷水用ミネラルウォーター容器２２５及び熱水用ミネラルウォーター容器２３０を含む。図２Ａの例示的な実施形態によると、第１の冷水用ミネラルウォーター容器２２０及び第２の冷水用ミネラルウォーター容器２２５は、箱に入った袋のパッケージユニットとして形成される。そのような場合、第１の冷水用ミネラルウォーター容器２２０は、ミネラルウォーターを第１の蛇口２４２へ供給する第１のパイプ２２２を含み、第２の冷水用ミネラルウォーター容器２２５は、ミネラルウォーターを第１の蛇口２４２へ供給する第２のパイプ２１３を含む。第１のパイプ２２２及び第２のパイプ２１３は、ミネラルウォーターが第１の冷水用ミネラルウォーター容器２２０又は第２の冷水用ミネラルウォーター容器２２５から第１の蛇口２４２へ運ばれるときに空気と接触しないため、保証された滅菌水をユーザに供給する。熱水用ミネラルウォーター容器２３０は、第３のパイプ２３２を介して第２の蛇口２４４に接続されており、高温のミネラルウォーターは、第２の蛇口２４４を介してユーザに供給される。高温のミネラルウォーターは、熱水用ミネラルウォーター容器２３０と第２の蛇口２４４との間の中間タンク（図示せず）内の加熱デバイスを用いて加熱される。中間タンクは、図４に開示されている熱水用タンク４４５であるものとすることができる。
【００２０】
幾つかの例示的な場合、水供給装置２００は冷却ユニット（図示せず）を含む。幾つかの例示的な場合、冷却ユニットは、第１の冷水用ミネラルウォーター容器２２０及び第２の冷水用ミネラルウォーター容器２２５の双方を冷却する。幾つかの場合、冷却ユニットは、第１の冷水用ミネラルウォーター容器２２０を冷却するための第１の冷却出口及び第２の冷水用ミネラルウォーター容器２２５を冷却するための第２の冷却出口である、２つの冷却出口を含む。そのような場合、第１の冷水用ミネラルウォーター容器２２０は、第２の冷水用ミネラルウォーター容器２２５が位置決めされるセクションから離れたセクションに位置決めすることができる。制御ユニット（図示せず）が、１つの水容器のみを冷却することを決定することができ、したがって、冷却ユニットの電力消費量及び水供給装置２００の電力消費量を低減する。幾つかの場合、冷却ユニットは、第１の蛇口２４２に接続されている第２の冷水用ミネラルウォーター容器２２５のみを冷却することができ、一方で、第１の冷水用ミネラルウォーター容器２２０内の水は室温にある。冷却ユニットは、外部電源に接続することができるか、又は水供給装置２００に含まれているバッテリを用いることができる。冷却ユニットのサイズは、高さ１５ｃｍ、幅３０ｃｍ、及び奥行４０ｃｍとすることができる。
【００２１】
幾つかの場合、第１の冷水用ミネラルウォーター容器２２０及び第２の冷水用ミネラルウォーター容器２２５の双方が、冷水を供給するために第１の蛇口２４２に接続される。代替的には、第１の冷水用ミネラルウォーター容器２２０及び第２の冷水用ミネラルウォーター容器２２５から選択される一方の水容器のみが、冷水を供給するために第１の蛇口２４２に接続される。後者の場合、水供給装置２００は、第１の冷水用ミネラルウォーター容器２２０及び第２の冷水用ミネラルウォーター容器２２５のどちらが第１の蛇口２４２に接続されるかを決定する制御ユニット（図示せず）を備える。幾つかの場合、水は、第１の冷水用ミネラルウォーター容器２２０から常温で第２の冷水用ミネラルウォーター容器２２５へ流れ、ここで冷却され、第２の冷水用ミネラルウォーター容器２２５から第１の蛇口２４２へ流れる。
【００２２】
幾つかの例示的な場合、水供給装置２００は、水をボトル又はコップ内に供給するときに当該コップ又はボトルを位置決めする台２４６を含む。水が第１の蛇口２４２又は第２の蛇口２４４から供給されるときに、これらの容器は台２４６上に配置される。台２４６は、第１の蛇口２４２及び第２の蛇口２４４の下に位置決めされる。台２４６は、１つ又は複数の開口を含むことができ、水は、容器、第１の蛇口２４２又は第２の蛇口２４４からこぼれると、この開口を通って台２４６の中に集められる。
【００２３】
水供給装置２００はコンパクトなミネラルウォーター装置である。さらに、水供給装置２００は、水供給装置２００を使用するときにミネラルウォーター容器がユーザに示されないミネラルウォーター装置である。さらに、水供給装置２００は、コンパクトな装置内に冷やされたミネラルウォーター及び高温のミネラルウォーターの双方を提供する。水供給装置２００は、家庭向けの市場に適合されており、この場合、ミネラルウォーターディスペンサはキッチンカウンター上に載置されても使用し易い。キッチンカウンター上に載置されると、キッチンの床と水供給装置２００の頂部との間の距離は１５０ｃｍになり得る。そのような距離は、一般的なユーザが水容器を容易に交換し、第１のボタン１３２及び第２のボタン１３４を介して水供給装置２００を容易に操作することを可能にする。水供給装置２００内のミネラルウォーターの総量は、水供給装置２００が２つの冷水容器及び１つの熱水容器を収容し、タンクのそれぞれが７リットルを収容する実施形態では、約２１リットルである。２１リットルという量は、標準的なウォーターディスペンサと同様である。水供給装置２００は、コンパクトな装置内で同量のミネラルウォーターを提供する点で、他のウォーターディスペンサとは異なる。水供給装置２００のコンパクトな実施形態のサイズは、奥行き約４０センチメートル、高さ４０センチメートル及び幅３０センチメートルであるものとすることができる。
【００２４】
図２Ｂは、開示される主題の例示的な実施形態による、１つの水容器が交換される水供給装置２００を示している。図２Ｂは、開位置にある水供給装置２００の開口部２１０を示している。開口部２１０が開位置にあるとき、ユーザは、水供給装置２００の水容器を交換することができる。水供給装置２００のユーザは、第１の冷水用ミネラルウォーター容器２２０を交換する。そのような交換は、第１のパイプ２２２を第１の蛇口２４２から取り外すステップを含む。次いで、ユーザは、例えば第１の冷水用ミネラルウォーター容器２２０である水容器を取り出す。次に、ユーザは、新たな水容器を水供給装置２００内に挿入し、新たな水容器のパイプを、第１の蛇口２４２等の対応する蛇口内に接続する。ユーザは、パイプを蛇口に接続した後で、開口部２１０を閉じる。第１のパイプ２２２は第１の冷水用ミネラルウォーター容器２２０と一体となっている部分である。第１のパイプ２２２は、第１のパイプ２２２における汚染物の吸収を回避して水供給装置２００の水質を高めるために、第１の冷水用ミネラルウォーター容器２２０が交換されるたびに交換される。
【００２５】
幾つかの場合、水供給装置２００は、開口部２１０を、ユーザが開かない限り閉じたままにしておく機構を備える。そのような機構は、窪みとその窪みに挿入される棒、又は当業者が望む別の機構を含むことができる。水供給装置２００の水容器の交換は、水供給装置２００のミネラルウォーターが幾つかの水容器に分けられるため、従来技術のミネラルウォーターディスペンサの水容器の交換よりもはるかに容易である。幾つかの水容器のそれぞれは、従来技術のミネラルウォーターディスペンサよりもかなり少ない量の水を含む。例えば、従来技術のミネラルウォーターディスペンサは約２０リットルの水容器を含むが、水供給装置２００は約７リットルの水容器を含む。ミネラルウォーターを幾つかの水容器にそのように分けることは、大幅に少ない力しか必要でないため、子供、年配又は高齢のユーザが水容器を交換することを可能にする。
【００２６】
幾つかの例示的な場合、水供給装置２００は、ユーザが第１の蛇口２４２及び第２の蛇口２４４から供給される水の量を制御することを可能にするユーザインターフェースを備える。そのような場合、ユーザは、特定の動作又はボタン等の特定の入力デバイスに関連する所定の量を入力することができる。ユーザは、所定の量を入力した後で、この所定の量に関連するボタンを押すことができ、水供給装置２００は所望の量を供給する。
【００２７】
幾つかの例示的な場合、水供給装置２００は、ユーザの要求に従って電力消費量を低減する。ユーザは、水供給装置２００内の水が高温である必要がないか又は冷やされる必要がない時間を入力するためにユーザインターフェースを用いることができる。そのような場合、水供給装置２００の制御ユニットは、冷却ユニット又は加熱デバイスの電力消費量を低減する決定をすることができる。
【００２８】
幾つかの場合、水供給装置２００は、例えば冷水容器又は熱水容器である、同じタイプの２つ以上の水容器を含む。水供給装置２００の制御ユニットは、１つの水容器が空になった時をユーザに合図することができる。そのような場合、ユーザは第２の水容器のミネラルウォーターを使用しつつ、第１の水容器が空になってしばらくしてから空の水容器を交換することができる。
【００２９】
図３は、開示される主題の例示的な実施形態による、水供給装置２００の水容器を交換するための機構を示している。水容器を交換するための機構は、表面２４０を含む。表面２４０は、水容器を交換するときに水供給装置２００の水容器を担持するように構成されている。表面２４０は、水容器を水供給装置２００のハウジング２１５内に挿入することを容易にする。表面２４０は、２つのヒンジ又は他の取付要素を用いてハウジング２１５に取付けられており、表面２４０がハウジング２１５に出入りすることを可能にする。表面２４０は、引出しのような形状であり、水供給装置２００のハウジング２１５内で２つの機械的な溝２５０、２５５に沿って移動することができる。２つの機械的な溝２５０、２５５は、ハウジング２１５内での表面２４０の移動を制限する。幾つかの場合、表面２４０の一部のみをハウジング２１５の外側に誘導することができる。
【００３０】
開示される主題の装置は、沸騰ユニットも備えることができる。沸騰ユニットはハウジング２１５内に位置決めすることができる。沸騰ユニットは、水をセ氏１００度まで沸騰させることを可能にする。沸騰ユニットは、蒸気を検出すると沸騰プロセスを停止させる蒸気検出器を備えることができる。沸騰水は、加熱ゾーン内の水を加熱することができる。加熱ゾーン内に所定の量の蒸気がある場合、沸騰ユニットは加熱ゾーンにおける水の加熱を停止する。
【００３１】
図４は、開示される主題の例示的な実施形態による、単一の箱に入った袋の容器及びポンプを有する水供給装置を示している。水供給装置４００はミネラルウォーター容器４１０を備える。ミネラルウォーター容器４１０は箱に入った袋の水容器である。ミネラルウォーター容器４１０は、室温のミネラルウォーターを収容することができる。ミネラルウォーター容器４１０の容積は、５リットル〜１２リットルの範囲、例えば７リットルとすることができる。水供給装置４００は、ミネラルウォーター容器４１０を用いて冷水用蛇口４６２及び熱水用蛇口４５２にミネラルウォーターを提供する。ミネラルウォーター容器４１０は、ポンプチューブ４１５を用いてポンプ４２０に接続されている。ポンプ４２０は、水をミネラルウォーター容器４１０から圧送し、水を冷水用タンク４３５及び熱水用タンク４４５に移すように構成されている。冷水用タンク４３５は、冷水用タンク４３５内の水を冷却するために冷却ユニットに接続されているか又は冷却ユニットを備える。熱水用タンク４４５は、熱水用タンク４４５内の水を加熱するために加熱ユニットに接続されているか又は加熱ユニットを備える。ポンプ４２０は、水供給装置４００のユーザからの要求に応じて水を圧送することができる。冷水用タンク４３５及び熱水用タンク４４５は、ミネラルウォーター容器４１０からミネラルウォーターを受け取るように構成されている。冷水用タンク４３５は、ミネラルウォータータンク４１０から水温で受け取った水を冷却して冷却水を冷水用蛇口４６２に供給する冷却ユニットを備える。熱水用タンク４４５は、ミネラルウォータータンク４１０から水温で受け取った水を加熱して加熱された水を熱水用蛇口４５２に供給する加熱ユニットを備える。
【００３２】
ユーザは、水供給装置４００からの水を消費することを望む場合、冷水用蛇口４６２又は熱水用蛇口４５２に関連するボタン又はハンドルを押す。次いで、水が冷水用タンク４３５又は熱水用タンク４４５から、それぞれ冷水用蛇口４６２又は熱水用蛇口４５２を介して供給される。幾つかの場合、ポンプ４２０は、ユーザがキー又はボタンを押し、水が供給されることを要求する時に駆動される。幾つかの他の場合、ポンプは、ユーザが望む量の水が供給された後で、又は所定の量の水が供給された後で駆動される。例えば、ポンプ４２０は、水が冷水用タンク４３５から冷水用蛇口４６２に流れていることを検出すると直ちに駆動されて、水を、ミネラルウォーター容器４１０から、ユーザに水を供給した水用タンクに、例えば冷水用タンク４３５に供給する。ポンプ４２０は、水を、低温用ポンプチューブ４３０を介して冷水用タンク４３５に移し、水を、高温用ポンプチューブ４４０を介して熱水用タンク４４５に移す。冷水は、冷水用タンク４３５から低温用蛇口チューブ４６０を介して冷水用蛇口４６２に運ばれる。同様に、熱水は、熱水用タンク４４５から低温用蛇口チューブ４５０を介して熱水用蛇口４５２に運ばれる。
【００３３】
図５Ａ及び図５Ｂは、開示される主題の例示的な実施形態による水供給装置２００の受信ユニットを示している。図５Ａは、ウォーターディスペンサから供給される様々な量を示す複数のアイコンを示している。これらの量は、ウォーターディスペンサの表示デバイス５１０上に表示される。第１のディスプレイには、複数のアイコンが表示される。例えば、第１のアイコン５２０はコップを表し、第２のアイコン５３０はピッチャーを表し、第３のアイコン５４０はボトルを表す。幾つかの例示的な場合、複数のアイコンの各アイコンに関連する量が各アイコンの近くに、例えば各アイコンの上に表示される。そのような例示的な場合、１１０ｍｌという量は第１のアイコン５２０のコップと関連付けられ、５００ｍｌという量は第２のアイコン５３０のピッチャーと関連付けられ、２５０ｍｌという量は第３のアイコン５４０のボトルと関連付けられる。
【００３４】
幾つかの例示的な場合、ウォーターディスペンサが或るアイコンに関連する量の水を供給することができるか否かを示すために、表示デバイス５１０にＹＥＳ／ＮＯ記号５３５が表示される。例えば、ウォーターディスペンサ内の制御ユニットは、ウォーターディスペンサが５００ｍｌ未満しか収容していないことを判断し、この５００ｍｌという量に関連付けられる第２のアイコン５３０が押されると、ＮＯ記号が提示される。
【００３５】
図５Ｂは、水供給装置のユーザがアイコンに関連付けられる量を判断することを可能にするディスプレイ５４５を示している。カップを表すアイコン５７０は、容積ディスプレイ５６０に表示される容積の値に関連付けられる。アイコン容積入力デバイスは、ユーザがアイコン５７０に関連する容積の値を更新することを可能にする。例えば、アイコン容積入力デバイスは、容積ディスプレイ５６０上に表示されている数字に加算及び減算するのに用いられるプラスアイコン５５５及びマイナスアイコン５５０を含む。本主題の幾つかの例示的実施形態において、表示デバイスは、供給される水の温度を決定するためのアイコン及び設定値を表示してもよい。そのアイコンには、高温アイコン（図示せず）、低温（アイコン）、及び室温アイコン（図示せず）が含まれ得る。
【００３６】
図６は、開示される主題の例示的な実施形態による、水容器内の水の量を示すための方法を示している。ステップ６１０において、水供給装置内のコンピュータモジュールが容器の容積を得る。例えば１０リットルである容器の容積は、水供給装置の設定において予め規定することができるか、又はユーザ若しくは技術者が入力することができる。
【００３７】
ステップ６２０において、コンピュータモジュールは、水供給装置の水容器のその時点の容量を得る。その時点の容量は、自動的に更新することができる。初期の容量は容器の容積である。
【００３８】
ステップ６３０において、コンピュータモジュールはポンプの動作の継続時間を検出する。ポンプは、水を、箱に入った袋の水容器から、冷水容器又は熱水容器を介して水用蛇口に圧送する。電子センサが、ポンプの動作を検出し、コンピュータモジュールに指示を送信することができる。この指示は、ポンプの動作の開始及び終了を含むことができる。
【００３９】
ステップ６４０において、コンピュータモジュールは、ポンプの動作の継続時間を水の消費量に換算する。この換算は、箱に入った袋の水容器からポンプによって圧送される水の流量を得ることによって行うことができる。流量を継続時間で乗算し、箱に入った袋の水容器からの水の消費量を求めることができる。
【００４０】
ステップ６５０において、コンピュータモジュールは新たな容器の容量を求める。新たな箱に入った袋の水容器の容量は、前回の水の容量及びステップ６４０において求めた水の消費量の関数であり得る。例えば、前回の容量が６．３リットルであり、ポンプによって圧送された水の流量が１分あたり０．５リットルであり、ポンプが０．５分間動作した場合、水の消費量は０．２５リットルであり、新たな容器の容量は６．０５リットルである。
【００４１】
ステップ６６０において、コンピュータモジュールは、箱に入った袋の水容器に収容されている所定の量の水に関する警告を提供する。例えば、箱に入った袋の水容器に０．２５リットル未満しか入っていない場合。幾つかの例示的な場合、警告は、箱に入った袋の水容器内の水の量が、図５Ａ及び図５Ｂに開示されている受信ユニットに表示されるアイコンに関連付けられる任意の量よりも少なくなると提供される。
【００４２】
ステップ６７０において、コンピュータモジュールは、水容器を交換するよう警告を提供する。幾つかの例示的な場合、警告は、箱に入った袋の水容器から水を受け取る熱水用タンク及び冷水用タンクに水がまだあるときに提供される。これによって、箱に入った袋の容器が空であるという警告が提供された後でも、水供給装置が依然として冷水用タンク及び熱水用タンクから所定の量の水を供給することができることを確実にする。
【００４３】
図７Ａは、本開示の幾つかの例示的実施形態による、単一の蛇口を備える水供給装置の側面図を示す。水供給装置７００はハウジング７０１を含む。水供給装置７００の開口部７０５が閉じられた時にユーザが水供給装置７００内の任意の要素に触ることができないように、ハウジングは閉じられる。また、熱水用タンク及び冷水用タンクは水供給装置７００の外側の温度から隔離される。水供給装置７００は７０センチメートルの高さを超えない。ハウジング７０１は、箱に入った袋のようなミネラルウォーター容器７１０を貯蔵する。ミネラルウォーター容器７１０は６〜１２リットルの間、例えば８．５リットルを貯蔵する。ミネラルウォーター容器７１０は箱に入った袋の水容器であってもよい。ミネラルウォーター容器７１０は、水容器パイプ７１４によってポンプ７１５に接続される。ポンプ７１５は、ポンプパイプ７１６によって流入弁７１８に接続される。流入弁７１８は、ミネラルウォーターを、熱水流入パイプ７２２を通して熱水用タンク７３０へ流す。加熱ユニット（図示せず）は熱水用タンク７３０に圧送されるミネラルウォーターを加熱する。流入弁７１８はさらに、ミネラルウォーターを、冷水流入パイプ７２０を通して冷水用タンク７３５へ流す。冷却ユニット（図示せず）は冷水用タンク７３５内のミネラルウォーターを冷却する。熱水用タンク７３０及び冷水用タンク７３５は、それぞれ熱水流出パイプ７４０及び冷水流出パイプ７４５によって流出弁７５０に接続されている。流出弁７５０は供給パイプ７５５に接続され、供給パイプ７５５はミネラルウォーターを流出弁７５０から蛇口７０７に流す。蛇口７０７はミネラルウォーターを容器（図示せず）に供給し、その容器は蛇口７０７からミネラルウォーターを受けるように台７０８上に位置決めされてもよく、容器にミネラルウォーターを入れる間、ユーザが容器を保持することを要しない。
【００４４】
水供給装置７００は受信ユニット７０９を備えていてもよく、受信ユニット７０９は、ユーザにミネラルウォーターの温度及びユーザがミネラルウォーターを入れようとする容器の種類を選択させることを可能にする。本主題の幾つかの例示的実施形態において、受信ユニット７０９はグラフィックユーザインターフェースである。受信ユニット７０９は、受信ユニット７０９で受け取ったユーザの指令を制御ユニット７６５に送信する。制御ユニット７６５は水供給装置７００内の他の要素に指示を送ってもよい。例えば、制御ユニット７６５は、ミネラルウォーター容器７１０からミネラルウォーターを圧送するタイミングに関する第１の指示をポンプ７１５に送信してもよい。制御ユニット７６５は、受信ユニット７０９で受け取ったユーザの要求に従って、熱水用タンク７３０、冷水用タンク７３５、又はそれらの両方へのミネラルウォーターの流れを制御する第２の指示を流入弁７１８に送信してもよい。例えば、ユーザが受信ユニット７０９の熱水ボタンを押した時、制御ユニット７６５はミネラルウォーター容器７１０からミネラルウォーターを圧送するための第１の指示をポンプ７１５に送信し、圧送されたミネラルウォーターを熱水用タンク７３０に流すための第２の指示を流入弁７１８に送信する。受信ユニット７０９は、更に冷水ボタン、極熱ボタン、及び温水ボタンを含んでいてもよい。ユーザが極熱ボタンを押した時、加熱ユニットは熱水用タンク７３０内の熱水をセ氏９３〜９７度の範囲の温度まで加熱する。熱水用タンク７３０は満水の状態に維持される。したがって、ミネラルウォーターが熱水用タンク７３０に圧送される時、高温のミネラルウォーターは熱水用タンク７３０から流出弁７５０を介してユーザの容器に出される。
【００４５】
上記の各要素はハウジング７０１の内部にある。ユーザはポンプ７１５、熱水用タンク７３０、冷水用タンク７３５及び流入弁７１８には手が触れない。ユーザはミネラルウォーター容器７１０を交換するために扉を開けることができるのみであり、開口部７０５のユーザからはアクセスできない。
【００４６】
制御ユニット７６５は、熱水用タンク７３０から、又は冷水用タンク７３５からミネラルウォーターを供給するための第３の指示を流出弁７５０に送信する。幾つかの例示的な場合において、ミネラルウォーターは室温で供給される。流出弁７５０は、熱水と冷水とが混合されて容器に供給されるミネラルウォーターが室温となるように、熱水用タンク７３０及び冷水用タンク７３５から交互にミネラルウォーターを供給する。例えば、交互供給は１０ミリ秒毎に生じる。幾つかの例示的場合によって、交互供給は、異なる温度のミネラルウォーターを作るために様々な速度で生じ得る。例えば、ユーザが暖かいミネラルウォーターを要求すると、熱水用タンク７３０から圧送される水の供給は冷水用タンク７３５から圧送される水の供給よりも長くなる。水供給装置７００を構成する全てのパイプ及び水用タンクはミネラルウォーターで満たされており、それによって小さい水容器７１０でありながら迅速な水の供給が可能になる。熱水用タンク及び冷水用タンクからのミネラルウォーターの交互供給は、従来の装置において知られているような混合容器を用いることなく、ミネラルウォーターの温度の制御を可能にする。前述の混合容器をなくすことで、開示される本主題の水供給装置７００の占める体積が減少する。
【００４７】
図７Ｂは、本主題の例示的実施形態による、開口部が開いた状態にある単一の蛇口を備える水供給装置の側面図を示す。開口部７０５は、開口部７０５をハウジング７０１に連結するヒンジ７０２及び７０３によって動き、開放される。開口部７０５は窓７０６を備え、蛇口７０７は窓７０６を貫通して突出する。図７Ｃは、本主題の例示的実施形態による、単一の蛇口を備える水供給装置の上面図を示す。
【００４８】
図８は、本主題の例示的実施形態による、エネルギ節約モードインターフェースを表示する受信ユニットを備える水供給装置の開口部を示す。水供給装置は受信ユニット８１０を備え、受信ユニット８１０は、ユーザが供給される水の温度及び量を選択すること、ならびにエネルギ節約モードを可能にする。本主題の幾つかの例示的実施形態において、受信ユニット８１０はグラフィックユーザインターフェースである。ユーザがエネルギ節約モードの有効化を選択した後、受信ユニット８１０はタッチスクリーンディスプレイであってもよいエネルギ節約モードディスプレイ８９０を表示する。エネルギ節約モードディスプレイ８９０は有効化アイコン８９１を含み、ユーザがこれを押すと図７Ａの水供給装置７００はエネルギ節約モードに切り替わる。エネルギ節約モードディスプレイ８９０は無効化アイコン８９２を含み、ユーザがこれを押すとエネルギ節約モードが解除される。エネルギ節約モードディスプレイ８９０はタイマーアイコン８９３を含んでいてもよく、これはユーザが、水供給装置７００がエネルギ節約モードに切り替わる希望の期間を指定するのを可能にする。
【００４９】
タイマーアイコン８９３はタイマー設定インターフェース８９５を表示し、タイマー設定インターフェース８９５は開始日アイコン８８１、開始時間アイコン８８２、終了日アイコン８８３及び終了時間アイコン８８４を含んでいてもよく、ユーザはこれを用いて水供給装置７００がエネルギ節約モードに留まる時間の長さを指定する。例えば、ユーザが休暇に入る時、不在の間、水供給装置７００にはエネルギの節約を望む。ユーザはタイマーアイコン８９３を選択し、開始日を入力する（例えば２０１２年１２月２４日であれば、開始日アイコン８８１に１２／２４／２０１２と入力する）ことにより、水供給装置７００がエネルギ節約モードを有効にする時を選択する。ユーザは開始時アイコン８８２に時間（例えば０４：３０）を入力することにより、その日の特定の時間を選択することもできる。その後、ユーザはエネルギ節約モードを無効化する日（例えば２０１３年１月６日であれば、０１／０６／２０１２）を終了日アイコン８８３に入力することにより、その日を選択する。ユーザは時間（例えば１７：１５）を終了時間アイコン８８４に入力することにより、厳密な終了時間を選択することもできる。
【００５０】
幾つかの場合、タイマーアイコン８９３はユーザに、水供給装置７００がエネルギ節約モードにある期間を選択させることを可能にする。例えば、ユーザが所用で忙しく、水供給装置７００を２時間エネルギ節約モードにしたいとする。ユーザは、水供給装置がエネルギ節約モードにある時間として２時間が選択されるまでタイマーアイコン８９３を押す。２時間を経過すると、水供給装置７００はエネルギ節約モードを解除し、標準機能モードに戻る。エネルギ節約モード８９０は、エネルギ節約モードディスプレイ８９０を終了するためのリターンアイコン８９９を含んでいてもよい。幾つかの他の場合において、ユーザは１日又は数日のうちの決まった時間の間エネルギ節約モードであることを選択することができる。例えば、ユーザは水供給装置７００に、４月から８月の土曜日と日曜日にエネルギ節約モードであるように設定し、また、水供給装置７００に、数週間又は数ヶ月間に亘り平日の午後８時から午前８時の間エネルギ節約モードであるように設定することができる。
【００５１】
本開示は、例示的な実施形態を参照して説明されているが、当業者には、本発明の範囲から逸脱することなく、種々の変形を加えることができ、例示的な実施形態の要素に関して均等物を代わりに用いることができることが理解されるであろう。加えて、本教示の本質的な範囲から逸脱することなく、本教示に対して多くの変更を加え、特定の状況又は材料に適合させることができる。したがって、開示される主題は、本発明を実施するための最良の形態として開示される特定の実施形態に限定されず、添付の特許請求の範囲のみによって限定されることが意図される。
【図１】
2015030509.tif 000003
【図２Ａ】
2015030509.tif 000004
【図２Ｂ】
2015030509.tif 000005
【図３】
2015030509.tif 000006
【図４】
2015030509.tif 000007
【図５Ａ】
2015030509.tif 000008
【図５Ｂ】
2015030509.tif 000009
【図６】
2015030509.tif 000010
【図７Ａ】
2015030509.tif 000011
【図７Ｂ】
2015030509.tif 000012
【図７Ｃ】
2015030509.tif 000013
【図８】
2015030509.tif 000014
【外国語明細書】
2015030509000001.pdf